(57)【要約】【課題】特定の箇所だけに磁気が集中しないようにしつつも、広い範囲に効果が及び、一方で磁気治療器としての効能を効かせたい場所には十分な磁気をあてる事ができ、全体は柔軟な形状をもたせることができる磁気治療器を提供する。【解決手段】磁力を有する磁気板（１）に、磁気板（１）より強力な磁束密度を有する磁性体（２）を２つ以上、上面と底面の極が同じになるように埋め込み、袋（３）で覆う。【選択図】図２
2013031612.tif 000002
【特許請求の範囲】
【請求項１】
磁力を有する磁気板（１）に、磁気板（１）より強力な磁束密度を有する磁性体（２）を２つ以上、上面と底面の極が同じになるように埋め込み、袋（３）で覆う。以上の構成からなる磁気治療器
【発明の詳細な説明】
【技術分野】
【０００１】本発明は、磁気治療器に関するものである。
【背景技術】
【０００２】従来、磁気治療器としてはネックレスやブレスレットのような装身具、枕や衣服に磁性体を取り付けたものが存在する。これらの磁気治療器は体に触れさせることで、人体の血行やこりを改善する目的で利用されている。【０００３】
【発明の概要】
【発明が解決しようとする課題】
【０００４】しかしながら、従来の方法には様々な欠点があった。長年糖尿病による血行不良に悩まされた発明者は、様々な磁気治療器に関する創意工夫を凝らし、病状の改善に劇的な効果を発揮した磁気治療器を発明し、医療用具の製造販売許可（医療用具製造販売許可番号  １１ＢＺ６０６４）を得るまでに至った。そのノウハウを元に、従来の磁気治療用具を改善するにあたって、気づいた従来の磁気治療器の問題点を以下に示す。【０００５】従来の磁気治療器は、単に比較的磁束密度の高い磁気体を装身具や枕、衣服を構成する素材に固着するものであり、それでこりや血行が改善されるとしている。【０００６】しかし、強力な磁気をもつ磁石をネックレスやブレスレット、その他衣服や枕に設置したものは、その磁気の効果をあてがった箇所に集中させる形でしか与えることができない。【０００７】特定の箇所だけに磁束密度の高い磁性体をあてがうことは、かえって血行不良等の副作用を及ぼすおそれがある。【０００８】また、強い磁束密度を持ち一般的に磁気治療器に使用されている磁石は、通常硬い素材でしか作成することができず、そのような磁性体を用いた磁気治療器はデザインにもおのずと限界が生じる。【０００９】柔軟に変形するゴム磁石のようなボンド磁石等により、器具全体を磁性体としたものも存在するが、そのような柔軟な形状に変形可能なものは、磁性体自体の磁束密度を高くすることができないため、こり・血行の改善という健康器具としての効能に疑問が生じる。【００１０】さらにこりや血行不良の部位は明確に点として認識することは困難であり、前述のように強い磁気を集中してあてると、かえって影響が強すぎることもありうる。【００１１】通常、按摩やマッサージは、患部を中心としてその周辺から治療を始める事が、これと同様に、磁気治療器の構造としては、こりや血行不良と思われる部分には強い磁気をあて、かつその周囲全体をとりかこむように弱い磁気を及ぼすのが望ましい。【００１２】しかし、通常集中して強い磁気を出す部分と、それをとりかこむように磁力の弱い部分とを一体化して製造することは極めて困難で、そのような磁気治療器は現在存在しない。【００１３】また従来の磁気治療器は、装着に違和感を感じないように小型化している場合が多く、せっかくの磁力を生かすこともなく、その健康器具自体に、なにか他の器具をとりつけるような工夫がなされていない。磁力半永久的な物理的な力をまったくといっていいほど無視している。単に磁気のこりや血行にたいする効力だけにしか着目しておらず、これでは磁気治療器としての発展性・未来性を望むことができない。【００１４】本発明は以上のような欠点をなくすためになされたものである。
【課題を解決するための手段】
【００１５】磁力を有する磁気板（１）に、磁気板（１）より強力な磁束密度を有する磁性体（２）を２つ以上、上面と底面の極が同じになるように埋め込み、袋（３）で覆う。【００１６】本発明は以上の構成からなる磁気治療器である。【００１７】
【発明の効果】
【００１８】本発明によれば従来の発明にない、以下の効果を得ることができる。【００１９】本治療器具は患部にあてたい部分には強力な磁性体（２）をあてることができる一方で、その周囲を取り囲むように、磁性体（２）よりも磁力の弱い磁気板（１）が配置される構造になるため、あたかも一つの連続した構造を持つ磁気治療器が、複数の磁力領域をもつかのように構成することができる。【００２０】効かせたい所には強力な磁気をあてがい、その箇所以外も磁気板（１）全体で、幅広い範囲を網羅できるため、磁気による血行が偏る恐れは非常に軽減することができる。【００２１】この点は従来品のような磁気体を特定の所に固着した方法に比べ以下の点で優れている。【００２２】患部だけ強力な磁気体をあてると、強力な磁気だけが圧迫するようになるため、血行をかえって偏らせる副作用のおそれがあるが、その問題の克服ができる。【００２３】こりや血行の改善には、按摩やマッサージでも見られるように、原因と思われる箇所を中心に広い範囲で、徐々にこりや血行を改善したい部位に治療を施してくことが望ましい。【００２４】本治療器によれば、患部の周辺も含めて広範囲に患部の周辺からの治療が可能となり、従来の磁気治療器では望めなかった効果が期待できる。【００２５】製品の形態として本治療器は、磁気板（１）を、袋（３）のどの位置にでも、何個でも配置することができる構造なので、柔軟な形状を構成することができる。【００２６】たとえば、袋（３）を細長くすれば、磁気治療器全体が帯や紐状になり、ネックレスやブレスレットとして装着が可能である。【００２７】さらにその帯や紐の状態を、網状に構成することにより２次元、３次元的な構成を組むことができる。【００２８】すなわち、こりや血行の改善に十分な効果が期待できる硬くて強力な磁石を使用しながら、複雑で柔軟な形状を持たせる事ができるようになる。【００２９】また、磁性体（２）は上面と底面が同極を同じ方向に向けて配置しているため、近づけると反発するようになっている。それにより、磁気治療器が、ねじれてしまったり、折れ曲がるというような過度の変形を防ぐ事ができる。【００３０】さらに、磁気治療器に使用する磁気体は通常強力な磁気を持たせているので、これに磁気の影響を受けやすい金属を近づけると着磁や帯磁といった影響を受けてしまうが、本器具では磁気板（１）の中に強力な磁性体（２）を埋め込む形により、直接強い磁力を持つ磁性体（２）が影響を及ぼす危険性が低下し、従来品のような強い磁気体に直接くっつけてしまう場合があるのに比べ、格段に着磁や帯磁の影響を落とすことができる。【００３１】本器具の構造は、幅広い範囲に、かつ変形可能な状態で磁気を放出できるように配置できる構造になっている。【００３２】通常磁気による物質の保持力は、単に磁束密度だけによるものではなく、磁気を発生するものの大きさに大きく作用される。そのため、本器具のように幅広く複数に配置可能な構造により、従来製品では保持が不可能であった、鉄粉を利用した温熱器具をくっつけることも可能となり、健康器具としての機能性と将来性を格段に拡大することが可能となる。他の磁気にくっつく器具の装着支持体としての機能も有する。【００３３】また、健康器具に配置された磁性体（２）の上面と底面が常に同極が同じ方向を向くことにより、健康器具どうしは重ねやすい状態でくっつくので、保存しやすいように重なり、保存場所でもかさばらないので、製品の保存や管理もしやすくなる。そのため保存作業や管理コストという点でも従来の製品よりすぐれている。
【図面の簡単な説明】
【００３４】
【図１】本発明の一実施形態に係る断面図である。
【図２】本発明の一実施形態に係る一部全体図である。
【図３】本発明の一実施形態に係る一部全体図である。
【発明を実施するための形態】
【００３５】以下、本発明を実施するための最良の形態について説明する。
【００３６】磁気板（１）には穴をうがつ、溝を掘るなどして磁性体（２）が埋まるに十分なスペースを作成する。
【００３７】磁気板（１）に、磁性体（２）を２つ以上埋め込む。磁性体（２）の磁束密度はこりや血行の改善が見込まれるのに十分な強力な磁石を使用することが望ましい。埋め込む際には磁性体（２）の上面と底面が同じ極を向くように配置する。
【００３８】磁気板（１）と磁性体（２）によって構成された部品はさらに袋（３）によって覆われることになる。
【００３９】袋（３）は細長くして、その中に磁性体（２）が埋め込まれた磁気板（１）は何個でも、配置してよい。このような構造にすることにより、磁気治療器自体を紐や帯のように柔軟で細長い構成にすることが可能なため、ネックレス、ブレスレット、アンクレットの形状を取ることができる。図２はそのような形状をとった場合の実施例である。
【００４０】さらに紐状に構成した本磁気治療器を網状に配置することにより、面構造を構成することができる。図３はその一形態を示している。このような形状に構成することにより、枕にかぶせる枕カバーとしての形状を取ることができ、体を覆うような形状に構成することも可能であり、衣類に磁気治療器を取り付けることもできる。
【００４１】袋（３）の中に配置する磁気板（１）は加工の許す限り、自由な形状に加工してもよい。そうすることにより、磁気の効果を及ぼす範囲を調整することもできる。また磁気板（１）に装着する磁性体（２）は２個以上であれば、磁気板（１）の大きさの範囲で自由な間隔で何個でも装着してもよい。これにより、磁性体（２）同士の相互作用の範囲や磁気板（１）の効果の及ぶ範囲を調整することが可能となる。
【００４２】図２や図３で示した磁気治療器に対し伸縮可能なゴムひもや、着脱用の端材をつけることにより、磁気治療器自体を装身具や衣類の形状に構成することも可能である。また衣類の内部や外部に縫製や接着剤等で装着することにより、衣類の機能を高めるための健康器具としての役割を持たせることもできる。
【００４３】本発明は以上のような構造である。
【００４４】なお、本発明の技術範囲は上記実施の形態に限定されるものではなく、本発明の趣旨を逸脱しない範囲において種々の変更を加えることが可能である。
【符号の説明】
【００４５】１  磁気板
２  磁性体
３  袋
【図１】
2013031612.tif 000003
【図２】
2013031612.tif 000004
【図３】
2013031612.tif 000005